(57)【特許請求の範囲】
【請求項１】
流体投与装置であって、
投与開口部を備えた本体（１０）と、
閉位置と開位置との間で移動可能な１以上のカバー部材（１１，１２）と、
薬品粉末などの流体を１ドーズずつ格納している複数の個別の密封された貯蔵器（２１）であって、貯蔵器基板（２０）の上に形成された前記貯蔵器と、
前記貯蔵器と接触することにより、当該貯蔵器を開封する貯蔵器開手段（８０）と、
前記貯蔵器基板を受けとめるものであり、当該貯蔵基板上に形成された前記貯蔵器を支持しながら非投与位置と前記貯蔵器と前記貯蔵器開手段とが接触可能な投与位置との間で移動可能である可動支持手段（５０）と、
投与済みドーズまたは未投与で残っているドーズを示すインジケータ装置（１２０）であって、数字、色および／または記号というインジケータ手段（１２５）を載せた回転式インジケータ部材（１２７）と、
前記可動支持手段（５０）が投与位置から非投与位置へと戻る際に前記可動支持手段（５０）と協働して前記回転式インジケータ部材（１２７）を回転させる、という駆動装置（１６０）と、を有する前記インジケータ装置と、
吸入動作に応じて前記可動支持手段を前記非投与位置から投与位置に移動させ、前記貯蔵器を開封させる吸入トリガ移動手段（６０）と、
を有すること、を特徴とする流体投与装置。
【請求項２】
前記回転式インジケータ部材（１２７）は、駆動装置（１６０）と協働する１以上の周縁の歯の組（１２８）を有すること、
を特徴とする請求項１に記載の流体投与装置。
【請求項３】
前記インジケータ装置は、戻り防止手段（１７０）を有し、当該戻り防止手段は、前記回転式インジケータ部材（１２７）が駆動装置（１６０）から強いられる方向と反対の方向に回転する、という事態を防止すること、
を特徴とする請求項１または２に記載の流体投与装置。
【請求項４】
前記戻り防止手段（１７０）は、回転式インジケータ部材（１２７）の有する歯の組（１２９）と協働する可撓性の指（１７９）を有すること、
を特徴とする請求項３に記載の流体投与装置。
【請求項５】
前記回転式インジケータ部材（１２７）は、駆動装置（１６０）と協働する第１の周縁の歯の組（１２８）を備えたリングであること、
を特徴とする請求項１乃至４のいずれかに記載の流体投与装置。
【請求項６】
前記リング（１２７）は、第２の周縁の歯の組（１２９）を有し、当該第２の歯の組は、前記リングが駆動装置から強いられる方向と反対の方向に回転する事態を防止する戻り防止手段（１７０）と協働すること、
を特徴とする請求項５に記載の流体投与装置。
【請求項７】
第１の歯の組（１２８）は内側の歯の組であり、第２の歯の組（１２９）は外側の歯の組であること、
を特徴とする請求項５または６に記載の流体投与装置。
【請求項８】
前記駆動装置（１６０）は、本体（１０）上にピボット運動可能な形で設置されており、第１に、前記可動支持手段（５０）上に設けられた相補的な手段（５６５）と協働するピボット手段（１６５）を有し、第２に、回転式インジケータ部材（１２７）と協働するドライブ手段（１６８）を有すること、
を特徴とする請求項１乃至７のいずれかに記載の流体投与装置。
【請求項９】
前記インジケータ部材（１２７）は回転リングであり、駆動装置（１６０）のドライブ用の指（１６８）と協働する内側の歯の組（１２８）と、戻り防止用の指（１７９）と協働する外側の歯の組（１２９）とを有すること、
を特徴とする請求項８に記載の流体投与装置。
【請求項１０】
前記可動支持手段（５０）が非投与位置から投与位置へと移動させられている間、前記ドライブ用の指（１６８）は内側の歯の組（１２８）のうちの次の歯に進み、その間、前記戻り防止用の指（１７９）は前記リングの回転を防ぐこと、
を特徴とする請求項９に記載の流体投与装置。
【請求項１１】
前記可動支持手段（５０）が投与位置から非投与位置へと移動させられている間、前記ドライブ用の指（１６８）は前記回転リング（１２７）を回転させ、その間、前記戻り防止用の指（１７９）は前記外側の歯の組（１２９）のうちの次の歯に進むこと、
を特徴とする請求項９または１０に記載の流体投与装置。
【請求項１２】
１回の駆動についての回転リング（１２７）の回転角度は、内側の歯の組（１２８）の歯の１つに対応していること、
を特徴とする請求項１１に記載の流体投与装置。
【請求項１３】
前記インジケータ装置（１２０）はブロック手段を有し、当該ブロック手段は、最終ドーズが示された後は、前記回転式インジケータ部材の回転を完全に防止すること、
を特徴とする請求項１乃至１２のいずれかに記載の流体投与装置。
【請求項１４】
前記ブロック手段は、駆動装置（１６０）と協働する歯の組（１２８）のうちの他と異なる１本の歯で成ること、
を特徴とする請求項１３に記載の流体投与装置。
【発明の詳細な説明】
【技術分野】
【０００１】
本発明は流体投与装置に関し、より具体的には乾燥粉末吸入器に関する。
【背景技術】
【０００２】
乾燥粉末吸入器は従来技術においてもよく知られており、様々な種類が存在する。第１の種類の吸入器は、多数ドーズ分の粉末を収容する貯蔵器を有したものである。当該吸入器は計量手段を有し、当該計量手段によって、１回の駆動ごとに貯蔵器から前記粉末を１
ドーズ分取り出すことが可能であり、ユーザへの投与のために前記１ドーズは放出ダクトに持ち込まれる。
【０００３】
また、別の種類の吸入器として、複数ドーズ分の粉末を１ドーズずつ事前ドーズ分け貯蔵器にパッケージしておき、吸入器が駆動される度に貯蔵器のうち１つを開ける、という特徴のものがある。そうした作りでは、個々のドーズが放出される直前になって初めて開
けられるので、粉末の密封はより効果的に実現される。
こうした個別の貯蔵器を作るため技術は、すでに様々なものが提案されている。例えば、細長いブリスタ一ストリップや、複数ブリスタを円形の回転ディスク上に配置したものである。カプセルなどの個別の貯蔵所を有し、前記貯蔵器はその使用直前に吸入器にロードされる、という作りの吸入器についても、従来技術において記述されている。こうした装置の効果は、全ドーズを器具の内部に格納しておく必要がないので、前記器具をコンパクトにすることができる、という点である。
【０００４】
しかしながら、明らかに、この吸入器は使用が難しい。ユーザが、使用のたびに、あらかじめカプセルを吸入器にロードする操作を強いられるからである。上述したものを含め、全ての既存の種類の吸入器は、その構造および操作の種類に関連して、効果と短所との両方が見られる。
従って、特定の吸入器では、駆動時のドーズの正確性および再現性に関して問題がある。加えて、投与効率（すなわち、ドーズのうち、ユーザの肺に効果的に進入して有益な治療効果を発揮する部分の割合）についても、いくらかの数の吸入器で問題が存在する。そうした特定の問題を解決するための解決策は、ドーズの放出を患者の吸入動作に同期させることである。
【０００５】
ただし、それでもやはり問題は生じうる。特に問題が生じるのは、通常吸入動作に先立ってドーズが放出ダクトにロードされ、その後、吸入動作に同期して放出される、という種類の装置である。その問題とはすなわち、ユーザが（マルチドーズ用の貯蔵器からでも、個別のドーズ貯蔵器からでも）ドーズをロードするタイミングとユーザが吸入動作を行うタイミングとの間に、ユーザが吸入器を落とす、振る、あるいは、望ましくない（または不適当な）やり方で操作した場合に、前記ドーズが器具の内部に撒き散らされてしまい、ユーザはドーズの全てまたは一部を失う危険がある、ということである。
【０００６】
その場合、装置の次回使用の際に過剰投与が起こる危険が大きなものとなりうる。ドーズが完全には投与されていないと認識したユーザが、新規のドーズを器具にロードすると、この新規のドーズが吸入される際に、器具の中に残った前回ドーズの一部が新規のドーズと共に放出されることになり、それが過剰投与を引き起こす。
治療を計画に基づいて行う場合、こうした過剰投与は非常な害をもたらすおそれがあり、全ての国の当局は、過剰投与の危険をできる限り抑制するために、従来に比べてより厳しい規制を課しつつある。個別の貯蔵器を開く操作に関しては、密封層の剥離や剥ぎ取りが提案されてきた。
【０００７】
しかし、そうした操作では、特に開手段を吸入動作によって駆動する必要がある場合に問題が生じる。貯蔵器を開くために加える力については、確実に開くことを保証しつつ、次の貯蔵器まで開けてしまう危険が生じないようにする、という形で制御することが難しいのである。変形例として、密封層または密封壁に穴を開ける操作が提案されているが、そうした操作の場合の問題として、切られた壁の一部分に貯蔵器内のドーズの一部が引っ掛かってしまう危険があり、そうなると計量の正確さと再現性とが保証されない。
【０００８】
本発明の目的は、上で述べた問題の生じない流体投与装置（特に乾燥粉末吸入器）を提供することである。
【先行技術文献】
【特許文献】
【０００９】
【特許文献１】国際特許公報第０１／２６７２０号
【発明の概要】
【発明が解決しようとする課題】
【００１０】
具体的には、本発明の目的は、製造および組立が簡単かつ安価であり、使用時の信頼性が高く、駆動時の計量正確性および計量再現性を保証し、治療対象領域（特に肺）へのドーズの相当部分の投与を可能にすることで治療効果に関して最適な成果を実現し、安全かつ効果的なやり方で過剰投与の危険を回避する、そして、可能な限り小型であると共に、全てのドーズに関して放出に至るまで密封と絶対的な保全性とを保証する、という吸入器を提供することである。
【００１１】
本発明のもう１つの目的は、ドーズの投与不足の危険を避け、ユーザが吸入動作を行った後にしか、貯蔵器の開動作、ドーズの放出、そして、放出されたドーズのカウントは行われない、という装置を提供することである。加えて、本発明は、ユーザが装置を操作したものの吸入動作は行わなかった、という場合でもドーズが失われてしまう危険はない、という装置を提供することを目的とする。
【００１２】
本発明はまた、放出済みのドーズ数または未放出で残るドーズ数をカウントすることの可能な装置を提供することを目的とする。
【課題を解決するための手段】
【００１３】
そこで、本発明が提供するのは、流体投与装置であって、投与開口部を備えた本体と、閉位置と開位置との間で移動可能な１以上のカバー部材と、薬品粉末などの流体を１ドーズずつ格納している複数の個別の密封された貯蔵器であって、貯蔵器基板の上に形成された前記貯蔵器と、前記貯蔵器と接触することにより、当該貯蔵器を開封する貯蔵器開手段と、前記貯蔵器基板を受けとめるものであり、当該貯蔵基板上に形成された前記貯蔵器を支持しながら非投与位置と前記貯蔵器と前記貯蔵器開手段とが接触可能な投与位置との間で移動可能である可動支持手段と、投与済みドーズまたは未投与で残っているドーズを示すインジケータ装置であって、数字、色および／または記号というインジケータ手段を載せた回転式インジケータ部材と、前記可動支持手段が投与位置から非投与位置へと戻る際に前記可動支持手段と協働して前記回転式インジケータ部材を回転させる、という駆動装置と、を有する前記インジケータ装置と、吸入動作に応じて前記可動支持手段を前記非投与位置から投与位置に移動させ、前記貯蔵器を開封させる吸入トリガ移動手段と、を有する流体投与装置である。
【発明の効果】
【００１４】
また、効果的な構成として、前記回転式インジケータ部材は、駆動装置と協働する１以上の周縁の歯の組を有すること、とする。
また、効果的な構成として、前記インジケータ装置は、戻り防止手段を有し、当該戻り防止手段は、前記回転式インジケータ部材が駆動装置から強いられる方向と反対の方向に回転する、という事態を防止すること、とする。
【００１５】
また、効果的な構成として、前記戻り防止手段は、回転式インジケータ部材の有する歯の組と協働する可撓性の指を有すること、とする。
また、効果的な構成として、前記回転式インジケータ部材は、駆動装置と協働する第１の周縁の歯の組を備えたリングであること、とする。
また、効果的な構成として、前記リングは、第２の周縁の歯の組を有し、当該第２の歯の組は、前記リングが駆動装置から強いられる方向と反対の方向に回転する事態を防止する戻り防止手段と協働すること、とする。
【００１６】
また、効果的な構成として、第１の歯の組は内側の歯の組であり、第２の歯の組は外側の歯の組であること、とする。
また、効果的な構成として、前記駆動装置は、本体上にピボット運動可能な形で設置されており、第１に、前記可動支持手段上に設けられた相補的な手段と協働するピボット手段を有し、第２に、回転式インジケータ部材と協働するドライブ手段を有すること、とする。
【００１７】
また、効果的な構成として、前記インジケータ部材は回転リングであり、駆動装置のドライブ用の指と協働する内側の歯の組と、戻り防止用の指と協働する外側の歯の組とを有すること、とする。また、効果的な構成として、前記可動支持手段が非投与位置から投与位置へと移動させられている間、前記ドライブ用の指は内側の歯の組のうちの次の歯に進み、その間、前記戻り防止用の指は前記リングの回転を防ぐこと、とする。
【００１８】
また、効果的な構成として、前記可動支持手段が投与位置から非投与位置へと移動させられている間、前記ドライブ用の指は前記回転リングを回転させ、その間、前記戻り防止用の指は前記外側の歯の組のうちの次の歯に進むこと、とする。
また、効果的な構成として、１回の駆動についての回転リングの回転角度は、内側の歯の組の歯の１つに対応していること、とする。
【００１９】
また、効果的な構成として、前記インジケータ装置はブロック手段を有し、当該ブロック手段は、最終ドーズが示された後は、前記回転式インジケータ部材の回転を完全に防止すること、とする。
また、効果的な構成として、前記ブロック手段は、駆動装置と協働する歯の組のうちの他と異なる１本の歯で成ること、とする。
【００２０】
また、効果的な構成として、前記可動支持手段の非投与位置から投与位置への移動は、ユーザの吸引動作によって制御されること、とする。
本発明に関する、これらのそして他の特徴及び効果については、非限定的な例として挙げる本発明のいくつかの実施の形態および変形例に関する以下の詳細な説明を、添付図面を参照しながら読むことで、更に明らかになるだろう。
【図面の簡単な説明】
【００２１】
【図１】本発明の効果的な例を構成する装置の外部外略図である。
【図２】本発明の実施の形態を構成する装置を閉状態で示した概略断面図である。
【図３】図２と同様の図であり、開いている途中の状態を示す図である。
【図４】図３と同様の図であり、開状態を示す図である。
【図５】図４と同様の図であり、吸入後の状態を示す図である。
【図６】図５と同様の図であり、吸入後の閉操作の開始時の状態を示す図である。
【図７】図６と同様の図であり、吸入後の閉操作の途中の状態を示す図である。
【図８】図７と同様の図であり、吸入後の閉操作の終了後の状態を示す図である。
【図９】図４と同様の図であり、吸入が行われなかった場合の、閉操作の開始時の状態を示す図である。
【図１０】本発明の別の実施の形態を構成する装置を閉状態で示した概略断面図である。
【図１１】図１０と同様の図であり、開状態を示す図である。
【図１２】図１１と同様の図であり、吸入後の状態を示す図である。
【図１３】図１２と同様の図であり、吸入後の閉操作の途中の状態を示す図である。
【図１４】図１３と同様の図であり、吸入後の閉操作の終了後の状態を示す図である。
【図１５】本発明の変形例の実施の形態を構成する装置を示す概略図であり、閉状態の定量ドーズ吸入器を透視した形で示す図である。
【図１６】図１５の装置の概略断面図である。
【図１７】図１６の詳細を示す図である。
【図１８】図１５と同様の図であり、開状態を示す図である。
【図１９】図１８と同様の図であり、吸入後の状態を示す図である。
【図２０】図１９と同様の図であり、吸入後に閉じられた状態を示す図である。
【図２１】本発明の別の実施の形態を構成する装置を示す概略図であり、閉状態を示す図である。
【図２２】図２１と同様の図であり、開いている途中の状態を示す図である。
【図２３】図２２と同様の図であり、開状態を示す図である。
【図２４】図２３と同様の図であり、吸入後の状態を示す図である。
【図２５】図２４と同様の図であり、吸入後の閉操作の途中の状態を示す図である。
【図２６】図２５と同様の図であり、吸入後に閉じられた状態を示す図である。
【図２７】（ａ）本発明の別の実施の形態を閉状態で示す、正面からの概略断面図である。（ｂ）本発明の別の実施の形態を閉状態で示す、背面からの概略断面図である。
【図２８】（ａ）図２７（ａ）と同様の図であり、開状態で示す図である。（ｂ）図２７（ｂ）と同様の図であり、開状態で示す図である。
【図２９】（ａ）図２８（ａ）と同様の図であり、吸入後の状態を示す図である。（ｂ）図２８（ｂ）と同様の図であり、吸入後の状態を示す図である。
【図３０】（ａ）図２９（ａ）と同様の図であり、吸入後の閉操作の途中の状態を示す図である。（ｂ）図２９（ｂ）と同様の図であり、吸入後の閉操作の途中の状態を示す図である。
【図３１】（ａ）図３０（ａ）と同様の図であり、吸入後に閉じられた状態を示す図である。（ｂ）図３０（ｂ）と同様の図であり、吸入後に閉じられた状態を示す図である。
【図３２】図５と同様の図であり、本発明の効果的な例を構成する貯蔵器基板および開手段を概略的に示す図である。
【発明を実施するための形態】
【００２２】
図１は、乾燥粉末吸入器の実施の形態の外観図を示す。吸入器は中心本体１０を有し、本体１０には、２つの側面部材（またはウィング）１１、１２がスライド移動可能な形で設置されている。それら側面部材は、装置が閉じられている際にはカバーを形成するものであり、そして、離れる形に移動することで装置を開き、そうして後述するような形で装置に圧力を加える、という作りになっている。
【００２３】
本体１０は、図１に示すように、その下側部分ではほぼ丸い形状となっており、上側部分では比較的平らになっている。しかし、他の何らかの適当な形状とすることもできる。本体１０は投与／吸入開口部１５を有し、装置の駆動中、ユーザは当該開口部から吸入を行う。２つのカバー形成側面部分１１、１２は、図１に示すように、共通のピボット軸を中心にピボット運動させる形で開くことができる。ただし、他の何らかの開手段で装置を開くことも考えられる。あるいは、本体に対して可動のカバー部材を、図１に示す２つではなく、１つだけ設けることも可能である。
【００２４】
効果的な構成として、本体はウィンドウ１９を有しており、当該ウィンドウを通して、投与済みドーズまたは未投与で残っているドーズのカウントをユーザの目に見える形で示すことができる。ウィンドウ１９は、カバーを形成するカバー部材１１、１２のピボット軸の上または近くに設けることができれば効果的である。
そして、複数の個別の貯蔵器２１を含んだ基板２０が、本体の内部に設けられている。貯蔵器はブリスタ型とするのが効果的である。そして貯蔵器基板については、細長いストリップとして、その上にブリスタが公知の様態で一列に配置されている、とするのが好ましい。ストリップおよびブリスタについては、図３２にだけ部分的に示してある。これは、他の図面に過度の負荷をかけない形で明瞭に図示するためである。
【００２５】
ブリスタストリップは、ドーズ分の粉末を収容するキャヴィティが形成されたベース層（またはベース壁）と、密封様態で前記ブリスタの各々を覆う密封層（または密封壁）とによって構成される、という形が効果的である。ブリスタストリップは、本体内部で巻き取ることができる。ストリップを進めるためのドライブ手段３０が設けられており、当該ドライブ手段は、装置が駆動されるたびに、ブリスタストリップを漸進的に引き出し、投与位置に１個のブリスタまたは貯蔵器を持ってくる。
【００２６】
効果的な構成として、１個の貯蔵器が吸入によって空になると、ストリップのうち、その空になった貯蔵器を含む部分は、前記本体１０内の別の場所に巻き取られる、という作りになっている。
また、本体１０には、貯蔵器開手段８０が設けられている（または固定されている）。当該開手段は、ブリスタの密封層に穴開け又はカットを行うための穴あけ器／カッター手段を有している。開手段もまた、図３２にのみ概略的な形で示してある。これは、他の図面に過度の負荷をかけない形で明瞭に図示するためである。
【００２７】
可動支持手段５０は、少なくとも、次の吸入動作の間に開けられることになる貯蔵器を支持するように作られている。可動支持手段５０は、駆動中、貯蔵器のうち中身を取り出そうとするものを装置の前記開手段に接する位置に移動させる、という作りになっている。
効果的な構成として、可動支持手段５０は、弾性変形可能なロード部材（例：スプリング、ロッド、または他の何らかの同等の弾性部材）によって押され、前記ロード部材は、特に装置が開かれている間に予め圧力を加えておくのに適したものである。
【００２８】
効果的な構成として、可動支持手段５０は、第１の位置（非投与位置）と第２の位置（投与位置）（すなわち貯蔵器を開けるための位置）との間で移動可能である。
可動支持手段５０は、効果的な構成として、前記本体１０に対してヒンジ留めされた、実質的に堅い部品（ロッドなど）から成る。前記可動支持手段５０上に回転様態で固定されたガイドホイール３０が、ブリスタを受け止め、ガイドする。これにより、ガイドホイール３０が回転すると、ブリスタストリップは第１の方向に進められることになる。特定の角度立場では必ず、特定の貯蔵器またはブリスタが開手段によって開かれる位置にくる。
【００２９】
効果的な構成として、回転する前記ガイドホイール３０の位置決めを行う回転位置決め手段３００が設けられており、回転後のガイドホイール３０の角度位置を正確に決定することができる。
効果的な変形例では、位置決め手段３００は、前記ガイドホイール３０の周囲に設けられたノッチ３８と弾性的に協働する端部を有した、突起部（または指）３０１を有した形とすることができる。効果的な構成として、ノッチ３８は、ほぼＶ字型のプロフィールを有し、それによって前記指３０１を自動的にノッチの中心位置に向けてガイドするため、回転時の正確な角度位置決めが保証される。
【００３０】
位置決め手段３００は、具体的には図２、６に見られる。ガイドホイール３０が、貯蔵器基板を進めるための唯一のドライブ手段を形成すること、とするのが好ましい。ただし、１または複数の補助ホイールを任意で設けて、貯蔵器基板のガイドおよび／またはドライブを補助することも可能であろう。
効果的な構成として、１回１回の吸入動作において、ガイドホイール３０の投与位置を正確に定めるために、受け手段３５０が設けられている。受け手段は、ラグ３５０から成る形とすることができ、当該ラグは、投与位置にある際にガイドホイール３０の１以上の対応する平らな面と協働するように作られている。平らな面がリセスと１つずつ組み合わされた形とするのが好ましい。
【００３１】
本実施の形態では、受け手段３５０は、開手段（具体的には、穴あけ器／カッター手段）が中身を取り出そうとする貯蔵器の中に進入する際の、ガイドホイール３０の正確な回転位置決めに貢献する。すなわち、受け部３５０は、前記穴あけ器／カッター手段が貯蔵器内に進入する深さを定めるだけでなく、貯蔵器に対して中心を合わせる働きをし、それによって、粉末の最適な形での放出と、毎回の駆動において摂取されるドーズの再現性とを保証する。
【００３２】
受け手段３５０は上述した回転位置決め手段３００と組み合わせることができ、その組み合わせの様態は、ガイドホイールの各々の位置、すなわち、「非投与位置」、「投与位置」、さらに「ガイドホイール３０が前記２つの位置の間で移動中の位置」、のそれぞれを予め精確に決められるようなものである。これにより、前記ガイドホイールの位置決めが不適当なために装置がブロックされてしまう、という危険を回避することが可能となる。受け手段３５０は、図５に具体的に示してある。
【００３３】
開手段８０で開けるために貯蔵器をその開位置に向けて移動させている間、開手段は本体１０に対して静止しているのが望ましい。しかし、貯蔵器を開くステップの間、開手段もまた移動させることができる、という形を考えることも可能である。
例えば、貯蔵器が開手段の方向に移動させられている間、開手段を貯蔵器に向けて移動させる、ということも可能であろう。別の変形例では、貯蔵器と開手段とが、駆動中に同じ方向に移動させられ、貯蔵器が前記方向により速く移動させられることで、前記開手段と接触して開かれる、という形を考えることもできる。
【００３４】
上で説明したように、開手段については、ユーザの吸入動作によって駆動されることが望ましい。吸入動作によって貯蔵器開手段に動作を開始させるために、吸入トリガシステムが設けられており、当該システムは、効果的な構成として、吸入動作の作用で移動および／または変形することが可能な手段６０で成り、手段６０はブロック手段１００を解放するように作られている。
【００３５】
効果的な構成として、手段６０は、前記可動支持手段５０のブロック手段１００と協働する変形可能なエアチャンバ６１を有する。ユーザによる吸入動作の結果、前記変形可能なエアチャンバ６１は変形し、それによって、前記ブロック手段１００を解放すること、さらに可動支持手段５０をブロック解除すること、が可能になる。そうすると、ガイドホイール３０を動かすこと、つまりは、中身を取り出そうとする貯蔵器をその開位置の方向へ移動させること、が可能となる。
【００３６】
効果的な構成として、エアチャンバ６１は変形可能な膜６２で成る形とすることができ、この膜６２は、第１に吸入器開口部１５に、第２に前記ブロック手段１００に直接的または間接的に接続することができる。そうすると、吸入動作中、膜６２は変形および／または収縮し、それによって、前記ブロック手段１００は移動させられてブロック解除位置に入る。
【００３７】
効果的な構成として、ポーチまたは隔膜６２でエアチャンバ６１を形成することができる。ポーチ６２はチャネル１５１を介して吸入器開口部１５に接続されており、効果的な構成として、チャネル１５１は、投与チャンバ７０に接続された放出チャネル１５２を囲む形に配置されている。
ポーチ６２は、ブロック手段１００に接続されたロッド１０１に固定してもよい。吸入動作によってポーチ６２が変形させられると、ロッド１０１がピボット運動して前記ブロック手段１００を移動させる。ポーチ６２は、シリコンで製造するのが効果的であり、本体１０と共に密封を実現するように作られたヘム６２０を有することにしてもよい。密封の実現のために、ヘム６２０を延ばしてフランジ６２５（同様にシリコン製のもの）を形成する、という形も可能である。当該フランジが、本体１０のスナップ留め部分によって圧縮されることで密封が実現され、特に、吸入流におけるヘッドロスを回避することができる。なお、変形例では、変形可能なエアチャンバを何らかの別な形（具体的には変形可能な膜）で作ることも可能であろう。
【００３８】
本吸入器は更に、開かれた１個の貯蔵器の１ドーズの粉末を収容する、投与チャンバ７０を有する。投与チャンバ７０は、効果的な構成として、１以上の実質的に球状の部材７５（例：ビーズ）を備えており、当該部材７５は、吸入動作中に前記チャンバ７０の内部で動き、それによって、貯蔵器が開かれた後の空気と粉末との混合物の投与状態を向上させることで、装置の効率を高める。
【００３９】
特定の例では、変形可能なエアチャンバ６１は投与チャンバ７０と協働する。その場合、投与チャンバ７０は、貯蔵器の開手段（具体的には、穴あけ器／カッター手段）に接続することができ、投与開口部７９（効果的な構成として、装置の投与／吸入開口部１５に直接的に接続しているもの）を有する形とすることができる。
従って、膜６２は、ユーザの吸入流路において、第１に吸入開口部１５に、第２に投与チャンバ７０に接続することができる。開手段（具体的には、穴あけ器／カッター手段）については、前記投与チャンバ７０の上（例えば、前記チャンバ７０に通じるチャネル６９の端部の位置）に直接に形成するのが効果的である。
【００４０】
吸入動作後、ユーザが装置を閉じると、構成部材の全ては、それらの当初の休止位置に戻る。すなわち、可動支持手段５０は、そのピボット軸を中心にピボット運動し、貯蔵器開手段からの遠ざかる形で移動してその非投与位置に戻る。そして、ロード部材もまた、圧縮も変形もしていない、その初期の休止位置に戻される。そうして、装置は、新たな使用サイクルに備える状態となる。
【００４１】
変形例では、他の吸入トリガ手段を使用することも可能であろう。例えば、ユーザによる吸入動作中、吸入によって発生する吸入力の効果でピボット運動する、ピボット運動可能な弁フラップを使用することができる。この弁フラップの回転により、可動支持手段をブロックしているブロック手段が解放され、その結果、貯蔵器は開手段に向かって移動させられる。
【００４２】
ガイドホイール３０を支持する可動支持手段５０については、図２、５に示すように拡張部５０１を有する形とするのが効果的であろう。当該拡張部は、具体的には、ブロック手段１００と協働する形で働く。加えて、拡張部は、可動支持手段が投与位置にある時、装置に設けられた穴１５５０を実質的にふさぐ働きをする。
従って、非投与位置では、吸入流は部分的に穴１５５０を通って進む。可動支持手段５０が移動させられて投与位置に入り、それによって穴１５５０が実質的にふさがれると共に貯蔵器が開かれると、その後、吸入流は主に、前記開いた貯蔵器の方へ向けられる。これは、吸入動作中の効果を向上させると共に、貯蔵器の中身が最適の様態で取り出されることを確実とする上でも役立つ。
【００４３】
本吸入器に関する別の効果的な点として、複数の個別の貯蔵器またはブリスタ２１が細長いストリップ２０の上に形成されており、当該ストリップは装置の本体１０の内部にロールの形で格納できる。効果的な構成として、巻き取りブリスタストリップは、前記本体１０の内壁によって保持されており、その「後側」（ブリスタストリップの移動方向における後側）の端部は前記本体１０に対して固定されていない。それにより、ブリスタストリップの装置内部への組み込みをより簡単にすることができる。
【００４４】
効果的な構成として、ブリスタストリップはガイドホイール３０によって移動させられ、当該ホイール３０は、図６に示すように、実質的にブリスタの形状に一致する形状を有した、１以上（望ましくは複数）のリセス３１を有する。
この構成により、ガイドホイール３０が回転すると、ブリスタストリップは第１の方向に移動させられる。当然のことながら、変化例または付加的な形で、他の手段によって（例えば、ブリスタストリップの長手方向の側面エッジに、適切なドライブ手段と協働するように作られたプロフィールを設けて）ブリスタストリップを進ませることも可能である。加えて、ブリスタストリップの側面エッジに沿って穴を形成し、前記穴と協働する歯付きホイールによってブリスタストリップを進ませる、という形も可能である（これは映画撮影用フィルムの場合に似ている）。
【００４５】
本吸入器のさらに別の形として、ドーズ用カウンタ（またはインジケータ）装置を更に設けたものがある。本装置は、数字または記号を、直接的にブリスタストリップに付けた形で有し、それら数字または記号が装置本体にある適当なウィンドウを通して見える、というものである。また、変形例では、後で説明するように、数字または記号を有した１以上の回転ディスクを用いる構成を考えることが可能である。
【００４６】
図２乃至９は本発明の効果的な実施の形態を示す。本実施の形態を参照すると、装置は本体１０を有し、本体上には、図１に示すように、２つのカバー部材１１、１２が、効果的な構成として、共通のヒンジ軸を中心にヒンジ留めされている。
図を見やすくする目的で、カバー部材のうちの１つ（すなわち、装置の右手の側に見られ、参照番号１２によって示されている方のカバー部材）だけを図示してある。また、各種の部品の移動を、いくつかの図の中で矢印によって概略的に示してある。
【００４７】
前記可動カバー部材１２は、効果的な構成として、開口１０９を介してコック部材８００に接続されており、当該開口は細長い形状であり、その中には前記コック部材８００のラグ８０１（または、それに類似の構成）が収容される。
効果的な構成として、コック部材８００は、ピボット軸を中心にしたピボット運動が可能な形で本体１０に設置されている。コック部材８００はロード部材５１を支持し、本実施の形態でのロード部材は螺旋スプリングの形で作られている。スプリング５１はロッド８１０と協働し、当該ロッドは、一方の端部では前記螺旋スプリング５１に接続されており、その反対側の端部では前記可動支持手段５０に設けられたカム面９１０に接続されている（当該ロッドについては後で述べる）。
【００４８】
よって、可動カバー部材１２の移動中、コック部材８００がそのピボット軸を中心に移動させられている間、ロッド８１０は、カバー部材１２が開いていればスプリング５１を圧縮し、前記カバー部材１２が閉じていれば前記スプリング５１を圧縮から解放することになる。カム面９１０と接触する部分では、ロッド８１０は、効果的な構成として丸い部分８１１（例えば球形の端部）を有し、当該部分８１１は、前記カム面９１０の上でロッド８１０をスライド移動させる。
【００４９】
コック部材８００は更に、後でより詳細に説明するが、可動支持手段５０の拡張部分５２０と協働するように作られた突起部８２０を有する。コック部材８００は更にガイド手段８５０を有し、当該ガイド手段は、効果的な構成として溝の形で形成されており、当該溝の中には、ドライブ部材１０００に接続された突起部１０１０が収容されるが、それについても後で詳細に説明する。効果的な構成として、前記溝８５０は傾斜の異なる２以上の部分から成る。それが有する機能については、やはり後で説明する。
【００５０】
本実施の形態では、可動支持手段５０は、ピボット軸５１１を中心にしたピボット運動の可能な形で本体上に設置された部品の形で作られている。可動支持手段５０はまた拡張部５０１を含んでおり、当該拡張部は効果的な構成としてフィンの形状となっている。上述したカム面９１０は、前記可動支持手段５０上に形成されており、可動カバー部材１２が開かれる間にスプリング５１に負荷が加えられると、前記可動支持手段５０は、圧縮されたスプリング５１によるスラスト力を受ける前記ロッド８１０によって、その投与位置へと押しやられる。
【００５１】
また、具体的に図２に示す前記非投与位置に前記可動支持手段５０を保持する目的で、ブロック手段１００が設けられている。前記ブロック手段１００は、効果的な構成として、前記可動支持手段５０の前記拡張部５０１と協働するように作られたブロック部材１１０を有する。前記ブロック手段１００は、効果的な構成として、ロッド１０１を介して変形可能な膜６２（ユーザによる吸入動作に反応するもの）に接続されている。
【００５２】
ユーザの吸入動作中に前記膜は変形し、それによってロッド１０１（それに伴い前記ブロック部材１１０）はピボット運動し、その結果、拡張部５０１は解放される。これにより、前記可動支持手段５０は、圧縮されたスプリング５１から加わる力を受けて、投与位置に向かって移動することができる。可動支持手段５０が移動すると、上述したように、１個の貯蔵器が開けられることになる。
【００５３】
効果的な構成として、ドライブ部材１０００は、ピボット運動可能な形で本体１０の内部に設置されている。上で説明したように、ドライブ部材１０００はその突起部１０１０によって、先ずロード部材８００の溝８５０と協働する。加えて、前記ドライブ部材１０００のもう１つの突起部１０２０は、ガイドホイール３０の歯の組３７と協働する。
カバー部材１２がその閉位置にある際、突起部１０２０は前記歯の組３７とかみ合っている。カバー部材１２が開かれると、ドライブ部材の突起部１０１０はロード部材の溝８５０の中でスライドし、その結果、前記ドライブ部材１０００は、そのピボット軸を中心にピボット運動することになる。このピボット運動により、ドライブ突起部１０２０はガイドホイール３０の前記歯の組３７から外れる。
【００５４】
こうして外れた状態を図４に示す。ユーザが吸入動作を行うと、可動支持手段５０は投与位置に向かって移動する。ガイドホイール３０は前記可動支持手段５０の上に、回転する形で固定されているので、当然、前記可動支持手段と共に開手段に向かって移動する。従って、投与位置では、ドライブ部材１０００のドライブ突起部１０２０は、ガイドホイール３０の歯の組３７のうち別の１つの歯に対向する位置にくる（これは図５で明瞭に見て取れる）。
【００５５】
その後、ユーザがカバー部材１２を閉じると、ドライブ部材の突起部１０１０は、再びロード部材８００の溝８５０の中で、今度は逆方向にスライドし、そのスライド移動の結果、前記ドライブ部材１０００がピボット運動することになる。そうすると、ドライブ突起部１０２０が、図６乃至８に示すように、ガイドホイール３０の歯の組３７のうちの別の歯（具体的には次の歯）とかみ合うことになる。
【００５６】
効果的な構成として、かみ合いが起こるのは、可動カバー部材１２がその閉位置に向かう戻りストロークの開始段階の間（特に前半）であり、そして、戻りストロークがさらに続くと、ガイドホイール３０は前記ドライブ部材１０００の作用を受けて回転することになる。このようにして、ガイドホイール３０はその回転軸を中心に回転し、装置の次回の駆動（つまりは次回のドーズ投与）のために、中身の入った次のブリスタを開口部手段に対向する位置に持ってくる。
【００５７】
上で説明したように、ロード部材の溝８５０は効果的な構成として、傾斜の異なる２つの部分から成る。可動カバー部材の閉位置から始まり、溝８５０の第１の部分は、効果的な構成として、ドライブ部材１０００をピボット運動させることがない。ドライブ部材１０００がそのピボット軸を中心にピボット運動して、ドライブ部材が歯の組３７から外れるのは、溝８５０のうち傾斜が強い方の第２の部分においてのみである。
【００５８】
そのため、ユーザがカバーを閉じると、ドライブ部材１０００のドライブ突起部１０２０は速やかに、歯の組３７の次の歯の内部へと戻る。そして、可動カバー部材がその閉位置に向かう戻りストロークがさらに続くと、前記ガイドホイール３０は回転させられる。
カム面９１０もまた、傾斜の異なる２以上の部分を有し、これら部分は、効果的な構成として、頂点９１１で隔てられている。再び可動カバー部材の閉位置から始まって、第１の傾斜部分は、その上をロッド８１０がスライドし、上述したようにスプリング５１の圧縮を可能にする。
【００５９】
スプリングに負荷が加わった（すなわち圧縮された）時点で、カム面９１０は、異なる傾きの第２の傾斜部分に入り、ロッド８１０は、装置がその開位置にある時に当該第２の傾斜部分と協働する。ロッド８１０から加わる力は、図４に示すように、第２のカム面部分に実質的に垂直である、とするのが好ましい。このようにすれば、負荷が加わる位置は安定する。
【００６０】
図４に示す開位置では、可動支持手段５０は、圧縮されたスプリング５１によって投与位置方向へ押しやられ、従って、拡張部５０１を介してブロック手段１００（特にブロック手段のブロック部材１１０）に力を加える。
効果的な構成として、ロッド１０１の反対側の端部では、前記ロッド１０１の膜６２への接続部の近くで、押し当て領域１０３が設けられており、当該領域は、可動支持手段５０に設けられた相補的な領域５０３と協働するように作られている。押し当て領域１０３により、前記可動支持手段５０と前記ブロック手段１００との間で、負荷が加わる位置を安定した形で定めることができる。２つの手段の各々は可動である。
【００６１】
そして、二重の接触（第１は、拡張部５０１から肩部分１１０に上方向に力が加わる形での接触（図４に示す位置を参照）であり、第２は、押し当て領域１０３から相補的な領域５０３に下方向に力が加わる形での接触）によって、ユーザの吸入動作によってのみ解除することの可能な、バランスの取れたブロック作用が保証される（すなわち、吸入動作の結果、隔膜６２が変形させられ、それによってブロック手段１００のロッド１０１がピボット運動して、ブロックが解除される）。
【００６２】
吸入動作後、すなわち図５に示す投与位置では、ブロック手段１００はピボット運動を終えており、可動支持手段５０は、圧縮されたスプリング５１の力で上方向に移動させられている。ブロック手段（特にブロック部材１１０）のピボット運動の結果、ブロック部材１１０の端部分１１５は、図５に特に示すように、本体１０から突出した状態になる。
その後、ユーザが可動カバー部材１２を閉じると、前記カバー部材１２は、完全に閉じられたところで、前記端部分１１５を押さえつける状態となり、それによって、図８に具体的に示すように、ブロック手段１００がその初期位置に戻され、それと共に膜６２もその初期位置に戻される。
【００６３】
このように、吸入器を開くことで、ユーザはシステムに負荷を加える。ユーザが吸入動作を行わずに吸入器を閉じると、前記吸入器は単に開始状態に戻るだけであり、貯蔵器２１やブロック手段１００の移動は発生しない。よって、意図しない形または完了しない形での駆動（開いてから閉じるまでの間にユーザが吸入動作を行わない形での駆動）のために貯蔵器１つ（つまりは有効な１ドーズ分の内容物）が失われてしまう、という危険はない。
【００６４】
従って、ユーザが吸入動作を行う場合だけ、貯蔵器を開き、その中身を取り出し、ユーザの肺に粉末を投与し、そして、ブリスタストリップを移動させて中身の入った新たな貯蔵器を開手段に対向する位置に持ってくる、という動作は可能となる。
加えて、吸入動作が行われ、可動支持手段５０が投与位置の方向へ移動させられた後、可動カバー部材１２が閉じられることで、ロード部材８００はその開始位置に向けて戻される。また、この時点において、図７に示すように、ロード部材８００の突起部８２０が可動支持手段５０の拡張部分５２０と協働して前記可動支持手段５０を押し、それによって当該手段がその非投与位置の方向へピボット運動させられる。つまり、効果的な構成として、可動支持手段５０は、可動カバー部材１２が閉じる動きに機械的に連結された形で、非投与位置に向けて戻される。
【００６５】
上で説明したように、図２乃至９で示したのは、１つの可動カバー部材１２だけであった。しかし、当然のことながら、図１で示すように、第２の可動カバー部材を（効果的な構成として図示した可動カバー部材に対称な形で）本体１０に設けることも可能である。そうすると、効果的な構成として、２つの可動カバー部材１１、１２はかみ合って一体となることで、前記２つの可動カバー部材が対称的に開閉することを保証する。それらは、そのピボット点の近傍において一体的にかみ合わせることができる。
【００６６】
図２１乃至２６は、変形例の実施の形態を示し、その変形例では、カム面９１０が接続ロッド（またはトグル）９０００と置き換えられている。当該ロッドまたはトグルは、第１にスプリング５１に接続されたロッド８１０に、第２に、２本の別々のピボット軸９００１、９００２によって、ピボット運動可能な形で可動支持手段５０に接続されている。
図２１に示す閉位置では、トグル９０００は、ロッド８１０およびスプリング５１の長手方向軸に対して角を成している。カバー部材１１、１２を開いたユーザは、軸９００１を引き、図２２の矢印で示すように、ロード部材８００を図における右方向に移動させる。可動支持手段５０は、ブロック手段１００によって保持されているたけに動かず、従って、トグルはまっすぐになり、図２２に示すように、ロッド８１０（そしてスプリング５１）の軸の線上に並ぶことになる。
【００６７】
これによりトグルが縦長の状態になる結果、スプリング５１は圧縮される。図２３に示す開位置では、効果的な構成として、トグルはロッド８１０（そしてスプリング５１）の長手方向軸を越えて延びており、それによって安定した開位置を保証する。上記のように、吸入動作を行うことなくユーザが吸入器を閉じた場合、ブリスタストリップには何事も起こらず、移動はしていない。吸入動作が行われた後（図２４）、ブロック手段は上で述べた通り解放され、貯蔵器は開けられてドーズが放出される。
【００６８】
その後、ユーザがカバー部材１１、１２を閉じると（図２５、２６）、トグル９０００はピボット運動して最初の位置へと戻り、それによって、可動支持手段５０はその非投与位置に戻される。ブロック手段１００および接続手段１０００は、図２乃至９における実施の形態が有するそれらと実質的に同一であるが、変形例を考えることもできる。
図１０乃至１４は本発明の別の実施の形態を示す。本実施の形態において、同一または類似の部材は同一の参照番号によって示し、異なる部材はダッシュ記号を含む参照番号によって示す。本実施の形態が上述したものと異なるのは、主に、別の形で作られたロード手段である。
【００６９】
この第２の実施の形態では、スプリング５１は存在していない。ロッド５１´が（曲がることによって）可動支持手段に対して弾性的な力を加える。そうして、ロッド５１´は、第１に可動支持手段５０に固定されており、第２にコック部材８００に接続されている。コック部材への接続は、効果的な構成として、適当な形状の溝９１０´の中に入った突起部５１´´による。溝にはカム面９１０´が形成されており、当該カム面に対しては、可動カバー部材１１、１２が開閉される間、ロッド５１´の前記突起部５１´´が接触してスライド移動する。溝はほぼ円弧の形をしているが、その形状は、第１の溝部分と第２の溝部分とが頂点部９１１´において接続された形となっている。
【００７０】
図２乃至９における第１の実施の形態のカム面９１０では、溝９１０´の第１の部分の役目は、変形させることによってスプリング（すなわち弾性ロッド５１´）に負荷を加えるというものである。一方、溝９１０´の第２の部分は、ロード位置（すなわち開位置）において安定した位置を提供することを可能にする。
従って、図１１に示すように、装置に負荷が加えられると、曲がった状態の可撓性ロッド５１´は、可動支持手段５０に対して力を加えて、同手段５０をその投与位置の方向へ押しやる。図２乃至９における第１の実施の形態と同様の様態で、可動支持手段５０は、ブロック手段１００によって非投与位置に保持される（ブロック手段については上述の様態に非常に近い様態で作ることができる）。ユーザが吸入動作を行うと、ブロック手段１００は解放され、可動支持手段５０は、その投与位置の方向に移動させられて、開手段の方へ向かう。
【００７１】
本実施の形態におけるもう１つの相違点は、貯蔵器基板（具体的にはブリスタストリップ）を移動させるための移動手段に関するものである。この第２の実施の形態において、ガイドホイール３０は歯付きホイール７３０とかみ合い、歯付きホイールの方はドライブ部材１０００´と協働する。
図２乃至９における第１の実施の形態では、ドライブ部材１０００は、第１にロード部材８００の溝８５０に接続され、第２にガイドホイール３０の歯の組３７に直接に接続されていた。一方、本実施の形態では、ドライブ部材１０００´は、第１には（第１の実施の形態の場合と同様）ロード部材８００の溝８５０に接続されているが、第２には、ドライブ部材１０００´とガイドホイール３０との間に挿入された歯付きホイール７３０に接続されている。その他の部分に関しては、動作は第１の実施の形態と同様である。
【００７２】
すなわち、ユーザが可動カバー部材１１、１２を開くと、ドライブ部材１０００´は、（効果的な構成としては突起部１０１０´において）溝８５０内をスライド移動する。第１の溝部分８５０は、可動カバー部材１１、１２のピボット軸に対して、実質的に平行または等距離であるため、第１の溝部分がドライブ部材１０００´に対して実質的な作用を生じることはない。
【００７３】
その一方、傾斜の異なる第２の溝部分は、前記ドライブ部材１０００´をピボット運動させて、歯付きホイール７３０から外す。吸入動作を行うことなくユーザが装置を閉じると、ドライブ部材１０００´は、単に溝８５０でスライド移動して戻り、歯付きホイール７３０の同じ歯と再びかみ合う状態となるだけであり、そのため、貯蔵器基板またはブロック手段１００には何事も起こらない。反対に、ユーザが、吸入動作を行った後に可動カバー部材を閉じると、ドライブ部材１０００´は、第１の実施の形態に関して説明したのと同様の様態で、歯付きホイールの別の歯とかみ合う。
【００７４】
図２７（ａ）乃至３１（ｂ））は別の実施の形態を示し、当該実施の形態では、貯蔵器基板２０は、カバー部材１１、１２が開かれるたびに、第１の方向に移動させられる。この変形例では、吸入動作を行わないでユーザが閉じると、貯蔵器基板はその最初の位置に戻される。すなわち、吸入動作が行われない場合、貯蔵器基板は前後に移動し、それによって、閉じられた時点で正確にそのスタート位置に戻る。
【００７５】
これによっても、装置が不完全な形で操作された場合ですらドーズの損失が生じないこと、が保証される。吸入動作が行われた場合、吸入動作の後に閉じても、貯蔵器基板の移動が引き起こされることはなく、そのため、次回の駆動に関しては、カバー部材の開動作の間に開手段に対向する位置に持ってこられるのは、中身がいっぱいに入った次の貯蔵器となる。
【００７６】
本実施の形態では、ロード手段はロッド１０５１´で成り、当該ロッドは、先ず可動支持手段５０に固定されている。そして、ロッド１０５１はまた、突起１０５１´´によって溝１９１０の中でスライド移動する。溝はロード部材１８００に設けられており、ロード部材は前記可動カバー部材１１、１２に接続されている。負荷を加える操作は、図１０乃至１４を参照しながら述べた操作と類似のものである。ロード部材１８００は、背面から見ればより明瞭に見て取れるが、ガイドホイール３０とかみ合っている。
【００７７】
また、ガイドホイール３０と協働する接続手段１０００´´が設けられており、協働は、吸入動作の後、可動支持手段５０が移動してその投与位置に入るまで維持される。接続手段は、効果的な構成として、ガイドホイール３０の歯の組と協働する突起部を有しており、吸入動作が終わった後、その機能は停止される（すなわち、ガイドホイールともはや協働しない状態になる）。よって、ユーザが装置を閉じると、ガイドホイールは可動支持手段と共に非投与位置に戻り、その際、回転軸を中心に回転することはない。接続手段が再びガイドホイールとかみ合う状態になるのは、完全に閉じられた時点においてである。
【００７８】
また、本発明の装置には、投与済みドーズまたは未投与で残るドーズの数をカウントする（またはユーザに提示する）ように作られた、ドーズ用のインジケータ（またはカウンタ）１２０を持たせることができる。図に示す実施の形態では、インジケータは６０ドーズを数えるように作られている。
図１５乃至２０は、装置の駆動サイクルとインジケータの駆動様態とを示す。インジケータは、効果的な構成として、内側の歯の組１２８と外側の歯の組１２９とを供えたリング１２７から成り、その一方の面に印字された数字１２５（０〜６０）を有する。リングは、数字が順番に進んで本体１０のウィンドウ１９の中に入る、という形に設置されている。内側の歯の組１２８は、効果的な構成として、駆動装置１６０と協働するように作られており、一方、外側の歯の組１２９は、効果的な構成として、戻り防止手段１７０と協働するように作られている（戻り防止手段１７０は、インジケータリング１２７が、駆動装置１６０から課される方向と反対の方向に回転するのを防止するように作られている）。
【００７９】
本発明の目的は、例えば操作エラーの場合、または装置の操作が不完全であった場合に、投与されていないドーズがカウントされる、という事態を回避することである。そのため、ユーザが吸入動作を行った後にのみカウンタまたはインジケータが駆動されるようにすることが必須である。なぜなら、ブリスタを開いて、その中に入ったドーズを投与することは、この吸入動作によって可能となるからである。
【００８０】
そのために、本装置は、本体１０上にピボット運動可能な形で設置された駆動装置１６０を有する。駆動装置１６０は契合手段１６５（具体的には歯）を有し、当該契合手段は、可動支持手段５０に設けられた歯の組５６５（または相補的な歯）とかみ合うように作られている。よって、ユーザが装置を開いて、装置のロード手段に負荷を加えても、可動支持手段５０は、ブロック手段１００によって非投与位置に保持されるので、移動することはない。
【００８１】
従って、インジケータには何も起こらない。本体１０にピボット運動可能な形で設置されて可動支持手段５０とかみ合う駆動装置１６０が、やはり静止したままだからである。また、ユーザが吸入動作を行わずに装置を閉じた場合も、やはりまた、可動支持手段５０が静止したままであるため、何事も起こらない。このようにして、吸入動作がない限りインジケータがドーズをカウントしないこと、が保証される。
【００８２】
図１８に示すロード位置からユーザが吸入動作を行うと、可動支持手段５０は、開手段に向かって移動させられ、その投与位置に入る。そうして、この移動の結果、図１８、１９に示すように、駆動装置１６０は第１の方向にピボット運動する。駆動装置１６０は、インジケータリング１２７の内側の歯１２８にかみ合う指１６８を有する。第１の移動方向において、駆動装置の指１６８は、対応する歯の傾斜の上をスライド移動し、次の歯に対向する形に位置を決めることができる。
【００８３】
平行して、戻り防止手段１７０（具体的には、戻り防止用の指１７９）は、リング１２７の外側の歯の組１２９と協働し、前記リングが摩擦力（例えば、駆動装置の指１６８から内側の歯の組１２８に加えられるもの）の影響で回転する、という事態を防止する。吸入動作の後、ユーザが装置を閉じると、可動支持手段５０はその休止位置（すなわち非投与位置）に戻る。そうして、この運動によって駆動装置１６０は、上述の第１の方向と反対の方向にピボット運動することになる。それは、駆動装置および可動支持手段の歯の組１６５、５６５の各々が、上述の方向と反対の方向に回転するからである。
【００８４】
この反対方向の移動において、駆動装置１６０の指１６８は、それが位置づけられた歯の中を押し進み、それによって、図２０に示すように、リング１２７を回転させる。平行して、戻り防止用の指１７９は、歯の傾斜の上をスライド移動し、次の歯に位置づけられる。図示する実施の形態では、インジケータは未投与で残っているドーズの数を示すように作られているため、表示される数字は駆動のたびに小さくなっていく。当然、逆もまた可能である（すなわち、投与済みのドーズの数を数えるカウンタ）。
【００８５】
効果的な構成として、最終ドーズが投与された後でインジケータをブロックするブロック手段を設けることが可能である。ブロック手段は、様々な形式をとり得るが、効果的な形式としては、内側の歯の組の中に他と異なる形状の歯を設け、それによって、駆動装置が次の歯とかみ合って前記インジケータリングを回転させ続ける、という動作を不可能にする、というものがある。最終ドーズの投与後はリングを回転させないようにする、という他の手段を考えることもできる。
【００８６】
上述した実施の形態の全てにおいて、ブリスタストリップは、２つの端部を有したストリップで形成されている。変形例では、切れ目のないストリップを用いることが可能である。また、本発明の範囲を逸脱しない形で、その他の変更を施すことも可能である。
従って、本発明によれば、以下の機能を果たす乾燥粉末吸入器を実現することができる：
・複数ドーズ分の粉末を１ドーズずつ別々の密封貯蔵器に格納する（例えば、巻き取りストリップ上に３０または６０ドーズを格納）；
・粉末は、ユーザの吸入動作によって実行される穴あけによって解放され、ブリスタは、事前に加圧された解放システムに結合された吸入検知システムを用いて穴あけされる；
・適切な形状に作られたドライブ手段であって、駆動のたびにブリスタと係合してブリスタストリップを移動させ、また、新たな貯蔵器を、適切な開手段によって開くための位置に持ってくる、というドライブ手段；
・吸入器が開かれたものの吸入動作が行われなかった場合に、ドーズが失われるのを回避する手段（この場合、吸入器が閉じられる際に、装置は正確にそのスタート位置に戻る）；
・吸入動作が行われた場合にのみドーズをカウントするように作られたドーズインジケータ。
【００８７】
また、上述した本発明の装置は他の機能も実現する。留意すべき点として、その様々な機能は、たとえ吸入器の各種実施の形態において同時に提供されるものとして示してあっても、別々に実現することができる。具体的には、吸入トリガ機構は、貯蔵器開手段の種類に係りなく、ドーズインジケータの使用に係りなく、個々の貯蔵器がお互いに対してどのように配置されているかに係わりなく、そして、その他の条件に係わりなく、使用できる。事前に圧力を加える手段と吸入トリガシステムとは、何らかの別の形で作ることも可能であろう。同じことが、本装置の他の構成部にも当てはまる。
【００８８】
上述の機能の全てまたは一部を取り入れた本発明の吸入器は、既存の装置の性能に勝る性能を実現する。具体的には、本発明の吸入器は、好ましい構成として、駆動のたびに９０％以上の貯蔵器使い切り率を実現する。使い切り率は、装置駆動中に開かれた貯蔵器から放出される流体のパーセンテージに相当するものであるが、この率は９５％を超えるのが効果的であり、９７％を超えるのが好ましい。
【００８９】
具体的には、この高い使い切り率は、能動型吸入器（一般に受動型吸入器よりも効率が高いもの）で得られる性能さえ上回る（能動型の場合、ブリスタの中身を取り出してドーズを放出するのは吸入流ではなく、吸入の間に解放される圧縮空気の流れである）。高い使い切り率によって、本発明の装置は、可能な限り効率的であることが保証される。吸入動作をトリガとする開動作との組み合せで、この高い使い切り率は、流体（特に粉末）がユーザの肺の中に最適の様態で投与されることを保証する。
【００９０】
本発明はまた、連続した駆動における、貯蔵器の使い切りの一定性を向上させる。すなわち、ブリスタストリップの貯蔵器が例えば１０個の場合、貯蔵器ごとの使い切り率の違いの幅は１５％未満となる（１０％未満となるのが効果的であり、５％未満となるのが好ましい）。このように向上した一定性によってドーズ再現性が向上し、それにより本発明の装置の効率も向上する。
【００９１】
当業者であれば、添付の特許請求の範囲によって定義される本発明の範囲から逸脱することなく、様々な修正を考えることも可能であろう。具体的には、各種の実施の形態および変形例を挙げて説明した装置の様々な特徴および機能は、実施の形態および変形例の全てに適用することが可能であり、適切な形で組み合わせることができる。
【図１】
0005461617.tif 000002
【図２】
0005461617.tif 000003
【図３】
0005461617.tif 000004
【図４】
0005461617.tif 000005
【図５】
0005461617.tif 000006
【図６】
0005461617.tif 000007
【図７】
0005461617.tif 000008
【図８】
0005461617.tif 000009
【図９】
0005461617.tif 000010
【図１０】
0005461617.tif 000011
【図１１】
0005461617.tif 000012
【図１２】
0005461617.tif 000013
【図１３】
0005461617.tif 000014
【図１４】
0005461617.tif 000015
【図１５】
0005461617.tif 000016
【図１６】
0005461617.tif 000017
【図１７】
0005461617.tif 000018
【図１８】
0005461617.tif 000019
【図１９】
0005461617.tif 000020
【図２０】
0005461617.tif 000021
【図２１】
0005461617.tif 000022
【図２２】
0005461617.tif 000023
【図２３】
0005461617.tif 000024
【図２４】
0005461617.tif 000025
【図２５】
0005461617.tif 000026
【図２６】
0005461617.tif 000027
【図２７】
0005461617.tif 000028
【図２８】
0005461617.tif 000029
【図２９】
0005461617.tif 000030
【図３０】
0005461617.tif 000031
【図３１】
0005461617.tif 000032
【図３２】
0005461617.tif 000033